(57)【要約】【課題】  プリンタ本体の前面床上にシートを展開する方式において、印刷物の長さに合わせて、不送りを発生させず、かつ、印刷物の破損や汚れ等のなき様に、容易にシートの斜面を形成する事が出来る構造を設けたプリンタを提供する事。【解決手段】  上記課題を解決する手段として、本発明の、記録媒体収容装置は、長尺な印刷物に合わせて床面上に設置する、シート固定部材の位置を移動可能にし、床面上に略平行に設置されるシート部分が形成されない様、常に斜面を形成する事を特徴とする。更に、印刷物の長さが変動に合わせて、シートに替える事により、容易にシートの斜面を形成し、斜面上に印刷物を排紙する事が出来ることを特徴とする。【選択図】  図１
2007314337.tif 000002
【特許請求の範囲】
【請求項１】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、前記シート材は回動可能な回動ロットと、回動ロッドに保持された前ロッドと、シート材後方を保持する後ロッドによって排紙ガイドの斜め下方で保持されており、後ロッドは後ロッド固定部材によって保持され、前記固定部材は、装置本体または装置本体設置用部材に着脱可能に設けられ、前記後ロッドを保持している前記固定部材を、印刷物の長尺に合わせて、印刷物が床面に排紙されず、且つ前記シート材が斜面を形成可能にすることを特徴とする記録媒体収容装置。
【請求項２】
記録媒体に画像を形成し、所定方向に延びる排紙口から記録媒体を排出する画像形成装置における、前記排紙口から排出されて排紙ガイドに案内され降下してくる記録媒体を収容するシート材を備えた記録媒体収容装置において、長尺な印刷物に合わせて、前記シート材を、前記シート材の構造をもち、前記シート材の長さを可変可能にする事を特徴とする、請求項１記載の記録媒体収容装置。
【発明の詳細な説明】
【技術分野】
【０００１】
本発明は、プリンタやプリンタなどの画像形成装置から排出される記録媒体を収容する記録媒体収容装置に関し、特に、大判（Ａ０サイズやＢ０サイズなど）の記録媒体を収容するのに好適な記録媒体収容装置に関する。
【背景技術】
【０００２】
従来の、大判の記録媒体を収容するのに好適な記録媒体収容装置には、画像が形成された記録媒体を前方排紙受け位置と、後方排紙受け位置との範囲内で前後に回動可能に構成されている排紙受けを施したものがある（例えば、特許文献１参照。）。また、長尺の印刷物をプリンタ本体の前面床上に展開したシート状に滑らかに排紙することが出来る排紙受けを施したものがある。（例えば特許文献２参照。）。
【０００３】
以下、図７〜図１０により従来の大判の記録媒体を収容するのに好適な記録媒体収容装置について説明する。
【０００４】
図７において、排紙受け装置１は、支点軸３と、排紙受け部を形成する凹状のシート部材２とを備え、前記支点軸３を中心に、前方排紙受け位置と後方排紙受け位置との範囲内で前後に回動可能に構成されている。前記排紙受け装置１を矢印の様に後方側に回動させ、後方排紙受け位置に設置すると、排紙部４から排紙された印刷物は、前記シート部材２に沿って、後方に向けて排紙される。一方、図８の様に、前記排紙受け装置１を矢印の様に前方側に回動させ、前方排紙受け位置に設置すると、前記排紙部４から排紙された印刷物は、前記シート部材２に沿って、前方に向けて排紙される。
【０００５】
しかし、上記構造の排紙受け装置では、長尺の印刷物を受け取る事が出来ず、直接床上に排紙することにより、破損や汚れの原因となる、という問題点がある。
【０００６】
上記問題点を解決した手段として、排紙受け部を用紙受け面が折り畳み可能なシートで構成すると共に、排紙切換レバーの操作により、前記シートをプリンタ本体の前面床上へ展開して印刷された用紙を受け取る構成を施したものがある。
【０００７】
図９において、排紙部１０から排紙された長尺でない印刷物は、排紙切換レバー７によって、第一受け取り部９に向けて排紙される。一方、前記排紙部１０から排紙された長尺の印刷物は、図１０の様に、前記排紙切換レバー７と、スタック固定レバー８によって、プリンタ本体の前面床上にシートを展開して、前記前面床上側に一時的に作られる第２受け取り部１１に向けて排紙される。
【特許文献１】特開２００１−１３０８１４号公報
【特許文献２】特開２０００−７１５３５号公報
【発明の開示】
【発明が解決しようとする課題】
【０００８】
しかし、従来のプリンタ本体の前面床上にシートを展開する方式のものでは、スタック固定レバーより前方においては、シートは斜面が形成されず、床面上に略平行に設置されている状態となる。すると、床面上に略平行に設置されているシート部分において、排紙された長尺な印刷物と、シートとの摩擦が大きくなり、印刷物の不送りが発生し、印刷物に傷がつく事が懸念される。本発明の課題は、プリンタ本体の前面床上にシートを展開する方式において、印刷物の長さに合わせて、不送りを発生させず、かつ、印刷物の破損や汚れ等のなき様に、容易にシートの斜面を形成する事が出来る構造を設けたプリンタを提供する事である。
【課題を解決するための手段】
【０００９】
上記課題を解決する手段として、本発明の、記録媒体収容装置は、長尺な印刷物に合わせて床面上に設置する、シート固定部材の位置を移動可能にし、床面上に略平行に設置されるシート部分が形成されない様、常に斜面を形成する事を特徴とする。更に、印刷物の長さが変動に合わせて、シートに替える事により、容易にシートの斜面を形成し、斜面上に印刷物を排紙する事が出来ることを特徴とする。
【発明の効果】
【００１０】
本発明の記録媒体収容装置によれば、排紙受け部が標準的な長さの印刷物を受ける記録媒体収容第一部、長尺な印刷物を受ける、記録媒体収容第二部の各状態に切換可能に構成されているので、印刷物の長さが変動しても、前記切換により簡易に対応する事が出来る。
【００１１】
更に、記録媒体収容第二部の形状を印刷物の長さによって変化させることが出来、シート材の長さを替えることによって、どんな長尺な印刷物でも、前記記録媒体収容第二部のシート状に排紙出来る為、印刷物の破損や汚れの原因を回避できる。
【発明を実施するための最良の形態】
【００１２】
（実施例１）
以下図１〜図６において、本発明の記録媒体収容装置における機構を説明する。
【００１３】
図１は、本発明の形態に係る記録媒体収容装置を備えたプリンタであり、且つ、標準的な長さの印刷物を印刷する状態の斜視図である。図２は、図１における、回動部の詳細図である。図３は、前記プリンタにおける、長尺な印刷物を印刷する状態の斜視図である。図４は図１における、前ロッドと回動ロッドの連結部の詳細図である。図５は、図３における、排紙ガイド先端のロッド受けの詳細図である。図６は、図３における、回動ロッドを収納する際の詳細図である。
【００１４】
図１を用いて、標準的な長さの印刷物を印刷する際の機構を説明する。
【００１５】
スタンド２２の上部にはプリンタ１６などの画像形成装置が固定されている。前記プリンタ１６の内部には、インクを吐出する複数のインク吐出口が形成された印字ヘッドと、この印字ヘッドを搭載して主走査方向に往復動するキャリッジとが備えられている。排紙ガイド１４には、排出された記録媒体が巻き癖により前記プリンタ１６内部に入り込むのを防止する排紙アシスト部材２３を備えている。
【００１６】
記録媒体収容第一部１５はシート材２４、前記シート材２４を保持している前ロッド１７と後ロッド固定部材２１、前記後ロッド固定部材２１に固定されている後ロッド２０、前記前ロッド１７を回動可能に支持している回動ロッド１９と回動部２６で成り立っている。前記後ロッド固定部材２１は、移動可能な固定部材２５に固定されており、前記固定部材２５は、前記スタンド２２内のスタンドフット１２に設置され、固定されている。
【００１７】
図１における、前記回動部２６の詳細を、図２を用いて説明する。前記回動ロッド１９は、ロッド固定部材２７内で矢印Ａ方向にスライド可能であり、前記ロッド固定部材２７は回転軸２８を中心に矢印B方向に回転する。2９は前記回動ロッド１９の位置を決めるガイド部材である。図２は前記記録媒体収容第一部１５使用時のポジションであり、ガイド部材２９の突起２９Ａによって、前記前ロッド１７の位置が規制されている。前記記録媒体収容第一部１５を使用しないときは、前記前ロッド１７を奥側に倒すことにより、前記回動ロッド１９は矢印B時計方向に回動し、前記前ロッド１７は前記スタンド２２に突き当たり止まる。
【００１８】
上記した構造により、印字ヘッドにより画像の形成された標準的な長さの印刷物は、排紙口１３を通って前記排紙ガイド１４に案内されて降下し、前記排紙口１３の下方に配置された前記記録媒体収容第一部１５に収容される。
【００１９】
次に、長尺な印刷物を印刷する際の機構を説明する。
【００２０】
図３は前記記録媒体収容第一部１５を組み換えたもので、その方法を説明する。図４に示す様に、前記回動ロッド１９の先端に設けられたジョイント部１９Ａはスナップ嵌め構造になっていて、前記前ロッド１７は付け外し自由に保持されている。前記前ロッド１７を矢印Ｄ方向に引っ張ることにより、前記回動ロッド１９より分離し、図５に示す様に、排紙ガイド１４の先端に設けてあるロッド受け１４Ａに移動する。
【００２１】
次に、図２に示す様に、前記回動ロッド１９を、矢印A方向の前記ロッド固定部材２７の引抜き方向にスライドさせ、前記ガイド部材２９の突起２９Ａから前記回動ロッド１９の先端を外す。そのまま、図６に示す様に、前記回動ロッド１９が水平になるまで、矢印B半時計方向に回転させる。その後、前記回動ロッド１９を矢印方向Ｃにスライドさせ、前記回動ロッド１９を収納する。
【００２２】
前記シート材２４には、前記前ロッド１７が通る為の形状が設けられており、更に、前記前ロッド１７が通る為の形状が設けられている端部と反対の端部にも、同様に、前記後ロッド２０が通る為の形状が設けられている。長尺な印刷物を印刷する際には、前記シート材２４に設けられている、前記後ロッド２０を通す為の形状部分に、前記後ロッド２０を取り付ける。
【００２３】
前記後ロッド２０を固定している前記後ロッド固定部材２１は、前記固定部材２５に取り付けられており、前記固定部材２５は、前記スタンドフット１２に対して着脱可能である。前記スタンドフット１２に着脱可能に取り付けられていた前記固定部材２５を、図３の様に、矢印D方向、印刷物の長尺に合わせて、印刷物が床面に排紙されず、且つ前記シート材２４が斜面を形成可能に前記後ロッド２０を設置する。
【００２４】
上記構成により設けられた、記録媒体収容第二部３０には、画像の形成された長尺な印刷物が、前記排紙口１３を通って前記排紙ガイド１４に案内されて降下し、前記排紙口１３からプリンタ本体前方に配置された前記記録媒体収容第二部３０に収容される。
【００２５】
（実施例２）
長尺な印刷物に合わせて、前記シート材２４を、前記シート材２４の構造をもち、長さの違うシート材に変更する事により、前記シート材２４では受けきれない長尺な印刷物も受け取る事が可能となる。また、想定される長尺な印刷物の最長の寸法に対応可能なシート材をあらかじめ用意し、前記前ロッド１７、または前記後ロッド２０のいずれかに前記シート材をフレキシブルな位置で仮止め可能に巻き取る構造を付加する事も可能である。
【図面の簡単な説明】
【００２６】
【図１】本発明の形態に係る記録媒体収容装置を備えたプリンタであり、且つ、標準的な長さの印刷物を印刷する状態の斜視図である。
【図２】図１における、回動部の詳細図である。
【図３】本発明の形態に係る記録媒体収容装置を備えたプリンタであり、且つ、長尺な印刷物を印刷する状態の斜視図である。
【図４】図１における、前ロッドと回動ロッドの連結部の詳細図である。
【図５】図３における、排紙ガイド先端のロッド受けの詳細図である。
【図６】図３における、回動ロッドを収納する際の詳細図である。
【図７】従来の排紙受け装置を備えたプリンタであり、後方排紙受け位置に構成されている図である。
【図８】従来の排紙受け装置を備えたプリンタであり、前方排紙受け位置に構成されている図である。
【図９】従来の排紙受け装置を備えたプリンタの他の例であり、後方排紙受け位置に構成されている図である。
【図１０】従来の排紙受け装置を備えたプリンタの他の例であり、前方排紙受け位置に構成されている図である。
【符号の説明】
【００２７】
１  排紙受け装置
２  シート部材
３  支点軸
４  排紙部
５  前ロッド
６  後ロッド
７  排紙切換レバー
８  スタック固定レバー
９  第一受け取り部
１０  排紙部
１１  第２受け取り部
１２  スタンドフット
１３  排紙口
１４  排紙ガイド
１４Ａ  排紙ガイド１４の先端に設けてあるロッド受け
１５  記録媒体収容第一部
１６  プリンタ
１７  前ロッド
１８  前ステーロッド
１９  回動ロッド
１９Ａ  回動ロッド１９の先端に設けられたジョイント部
２０  後ロッド
２１  後ロッド固定部材
２２  スタンド
２３  排紙アシスト部材
２４  シート材
２５  固定部材
２６  回動部
２７  ロッド固定部材
２８  回転軸
２９  ガイド部材
２９Ａ  ガイド部材２９の突起
３０  記録媒体収容第二部
【図１】
2007314337.tif 000003
【図２】
2007314337.tif 000004
【図３】
2007314337.tif 000005
【図４】
2007314337.tif 000006
【図５】
2007314337.tif 000007
【図６】
2007314337.tif 000008
【図７】
2007314337.tif 000009
【図８】
2007314337.tif 000010
【図９】
2007314337.tif 000011
【図１０】
2007314337.tif 000012